(57)【要約】【課題】使い勝手が良く、小型で、低コストの光カプラを提供する。【解決手段】クロージャ５０内に実装される図示しないトレー上に配設した光カプラ６０は、映像用カプラ部７０−１及びデータ用カプラ部７０−２を内蔵しているので、光カプラの使用数を１個にできる。光カプラ６０から引き出された映像用光ファイバ素線６２−１〜６２−４とデータ用光ファイバ素線６２−ａ〜６２−ｄとは、２本ずつペアになって２芯テープ化されて結合されているので、接続作業の際、その２本の選定が容易であり、作業性が非常に良い。例えば、あるユーザ宅がデータ用の回線を敷設済みであり、映像用の回線も後日追加する場合、クロージャ５０内に映像用の光カプラを新規に追設する必要がない。そのため、光カプラ追設に伴う光ファイバ素線（或いは光ファイバ芯線）の引き回しも行わなくて済むので、作業性が良い。【選択図】図１
2009128853.tif 000002
【特許請求の範囲】
【請求項１】
筒状の一端に第１の開口部、前記筒状の他端に第２の開口部を有するパッケージと、
前記パッケージ内に重ね合わされて収納された第１のカプラ部及び第２のカプラ部と、
前記第１及び第２の開口部を封止する封止材とを備えた光カプラであって、
前記第１のカプラ部は、
前記第１の開口部から引き出され、第１の光信号を入力する第１の光ファイバと、
前記第１の光ファイバに接続されて前記パッケージ内に収納され、前記第１の光ファイバにより入力された前記第１の光信号をｎ分岐（但し、ｎ；２以上の整数）して出力する第１の分岐部と、
前記第１の分岐部に接続されて前記第２の開口部から引き出され、前記第１の分岐部から出力された前記ｎ個の第１の光信号をそれぞれ送出するｎ本の第２の光ファイバとを有し、
前記第２のカプラ部は、
前記第１の光ファイバと対になって前記封止材により固定されて前記第１の開口部から引き出され、第２の光信号を入力する第３の光ファイバと、
前記第３の光ファイバに接続され、前記第１の分岐部と重ね合わされて前記パッケージ内に収納され、前記第３の光ファイバにより入力された前記第２の光信号をｎ分岐して出力する第２の分岐部と、
前記第２の分岐部に接続され、前記各第２の光ファイバと共にそれぞれ１対に束ねられて前記封止材により固定されて前記第２の開口部からそれぞれ引き出され、前記第２の分岐部から出力された前記ｎ個の第２の光信号をそれぞれ送出するｎ本の第４の光ファイバとを有することを特徴とする光カプラ。
【請求項２】
前記第１及び第２の分岐部は、ファイバ形構造又は導波路型構造であることを特徴とする請求項１の光カプラ。
【請求項３】
前記パッケージは、円筒状部材又は角筒状部材により形成されていることを特徴とする請求項１又は２記載の光カプラ。
【請求項４】
前記封止材は、紫外線硬化型樹脂であることを特徴とする請求項１〜３のいずれか１項に記載の光カプラ。
【請求項５】
請求項１〜４のいずれか１項に記載の光カプラにおいて、
前記第１、第２、第３及び第４の光ファイバの各光ファイバに代えて、前記光ファイバが被覆部材により被覆された光ファイバ素線又は光ファイバ芯線が使用されていることを特徴とする光カプラ。
【請求項６】
前記第１の光信号は、２芯通信用の映像信号であり、前記第２の光信号は、２芯通信用のデータ信号であることを特徴とする請求項１〜５のいずれか１項に記載の光カプラ。
【発明の詳細な説明】
【技術分野】
【０００１】
本発明は、例えば、光ファイバを伝送路として局設備から各ユーザ宅まで直接引き込むアクセス系光通信の網（ネットワーク）構成方式であるＦＴＴＨ（Fiber  To  The  Home）において、アクセス網のネットワーク構成の１つであるＰＯＮ（Passive  Optical  Network、中継局からの１本の光ケーブルを光スプリッタ（光カプラ）と呼ばれる光受動素子で分岐させてユーザ宅と結ぶもの）等に用いられ、光信号を分配したり合わせたりする光カプラに関するものである。
【背景技術】
【０００２】
従来、ＦＴＴＨ−ＰＯＮシステムや光カプラに関する技術としては、例えば、次のような文献等に記載されるものがあった。
【０００３】
【特許文献１】特開２００３−１８５８６５号公報
【特許文献２】特開２００５−２９４９９４号公報
【０００４】
特許文献１には、光カプラの技術が記載され、特許文献２には、ＦＴＴＨ−ＰＯＮシステムの技術が記載されている。
【０００５】
特許文献２等に記載されているように、近年、光ファイバを使用した一般家庭向きブロードバンドサービス（例えば、データ通信、映像配信、ＩＰ電話と呼ばれるインターネットプロトコル（Internet  Protocol）電話）であるＦＴＴＨが普及してきている。例えば、ユーザである一般家庭の需要家が、ＦＴＴＨによるデータ通信と映像配信のサービスを受ける場合、サービス供給者が局設備からユーザ宅へ光ファイバを敷設することとなるが、この敷設方法には次の２つの方法がある。
【０００６】
（１）  ２芯通信システム形
データ通信用光ファイバと映像配信用光ファイバとの２本の光ファイバを敷設する２芯敷設方法である。
【０００７】
（２）  １芯通信システム形
データ通信及び映像配信用の１本の光ファイバを敷設する１芯敷設方法である。この方法では、波長合分波用のＷＤＭ（Wavelength  Division  Multiplex、波長分割多重）デバイスを利用してデータと映像との２つの信号を合分波するようになっている。
【０００８】
１芯通信システム形は、２芯通信システム形と比べて光ケーブル芯数や設備量が低減できるが、波長合分波用のＷＤＭデバイスを局設備及びユーザ宅の双方に使用する必要がある。これに対し、２芯通信システム形は、同一エリアで映像とデータ（インターネット）の加入者数が極端に違う場合や、各々のサービス毎に物理回線を分離したい場合等、設計の自由度が優れている。
【０００９】
図６は、特許文献２等に記載された従来の２芯通信システム形のＦＴＴＨ−ＰＯＮシステムの概略の構成図である。
【００１０】
この２芯通信システム形のＦＴＴＨ−ＰＯＮシステムは、映像信号及びデータ信号の送受信を行う局設備１０を備え、この局設備１０に対して、支柱１３により架設された幹線・支持光ケーブル２０が接続されている。
【００１１】
ここで、幹線・支持光ケーブル２０とは、例えば、架空敷設強度の大きな支持線を有する光ケーブルである。一般に、光ファイバは、コアと呼ばれる芯と、この外側のクラッドと呼ばれる部分と、これらを覆う被覆部との３重構造になっており、クラッドよりもコアの屈折率を高くすることで、全反射や屈折により光を中心部のコアに伝搬させる。コアとクラッドは共に、光に対して透過率が高い石英ガラスやプラスチックにより形成されている。被覆部がないコアとクラッドのみの状態を単に「光ファイバ」といい、光ファイバの表面をシリコン樹脂等で被覆したものを「光ファイバ素線」、光ファイバ素線をナイロン繊維等で被覆したものを「光ファイバ芯線」、光ファイバ芯線を高抗張力繊維等と外皮で被覆したものを「光ファイバコード」という。複数の光ファイバ芯線に保護用のシースと呼ばれる被覆をしたものを「光ファイバケーブル」（又は「光ケーブル」）と呼ぶこともある。
【００１２】
局設備１０は、例えば、光波長１．５５μｍの下り映像信号を幹線・支持光ケーブル２０へ送信する映像系光増幅分配装置１１と、光波長１．５５μｍの下りデータ信号を幹線・支持光ケーブル２０へ送信すると共に光波長１．３１μｍの上りデータ信号を幹線・支持光ケーブル２０から受信して双方向データ通信を行うＩＰ系端局装置１２とを有している。
【００１３】
映像系光増幅分配装置１１は、周波数多重された映像高周波（ＲＦ）信号の電気／光変換を行う光送信機と、変換された光映像信号を増幅するエルビウム添加光ファイバ増幅器（ＥＤＦＡ）と、増幅された光映像信号を多数のＯＮＵ（Optical  Network  Unit、光回線終端装置）へ分配するための複数の光カプラからなる光分配器等とにより構成され、その光分配器が幹線・支持光ケーブル２０に接続されている。ＩＰ系端局装置１２では、幹線・支持光ケーブル２０に接続され、上り通信において各ユーザからの信号の衝突を避けるために送信タイミングの制御を行うことが必要となるので、ＯＮＵのリンク検出や伝送遅延を管理し、送信開始時刻の調整等を行うＯＬＴ（Optical  Line  Terminal、局終端装置）を有している。
【００１４】
幹線・支持光ケーブル２０は、映像用光ファイバ芯線２０−１及びデータ用光ファイバ芯線２０−２を複数芯（例えば、２４芯）有し、この幹線・支持光ケーブル２０の分岐箇所にドロップ光ケーブル用のクロージャ３０が接続されている。クロージャ３０には、幹線・支持光ケーブル２０中の１本の映像用光ファイバ芯線２０−１に接続された１対ｎ（１×ｎ、例えば、ｎ＝４）分岐形の映像用光カプラ３２−１と、幹線・支持光ケーブル２０中の１本のデータ用光ファイバ芯線２０−２に接続された１×ｎ（例えば、ｎ＝４）分岐形のデータ用光カプラ３２−２とが収納されている。映像用光カプラ３２−１は、１本の光ファイバ芯線２０−１中の映像信号をｎ本（４本）に分岐するものであり、この分岐箇所にｎ本（４本）の２芯ドロップ光ケーブル３５，・・・中の光ファイバ芯線３５−１，・・・が接続されている。データ用光カプラ３２−２は、１本の光ファイバ芯線２０−２中のデータ信号をｎ本（４本）に分岐するものであり、この分岐箇所にｎ本（４本）のドロップ光ケーブル３５，・・・中の光ファイバ芯線３５−２，・・・が接続されている。
【００１５】
各ドロップ光ケーブル３５，・・・は、各ユーザ宅４０に取り付けられたＦＴＴＨ用光接続箱４１にそれぞれ接続されている。各ユーザ宅４０内には、光ファイバによって光接続箱４１に接続された映像用ＯＮＵ４２及びデータ用ＯＮＵ４３が設置されている。映像用ＯＮＵ４２は、局設備１０側のＯＬＴと対になる装置であり、光／電気信号の変換機能と光信号の多重／分離の機能を有し、これには例えばテレビジョン受像機（以下「ＴＶ」という。）４４が接続されている。同様に、データ用ＯＮＵ４３は、局設備１０側のＯＬＴと対になる装置であり、光／電気信号の変換機能と光信号の多重／分離の機能を有し、これには例えばパーソナルコンピュータ（以下「ＰＣ」という。）やＩＰ電話機等の端末装置４５が接続されている。
【００１６】
図７は、図６中のドロップ光ケーブル用クロージャ３０の詳細を示す概略の構成図である。
【００１７】
２個の映像用光カプラ３２−１及びデータ用光カプラ３２−２は、クロージャ３０内に実装される図示しないトレーに配設されている。
【００１８】
幹線・支持光ケーブル２０中の１本の映像用光ファイバ芯線２０−１は、融着スリーブ３１−１により、映像用光カプラ３２−１の入射端部から導出されている１本の光ファイバ素線（或いは光ファイバ芯線）に融着接続され、この光カプラ３２−１の出射端部から導出されている第１、第２、第３、第４の光ファイバ素線（或いは光ファイバ芯線）（１），（２），（３），（４）の内の１本（例えば、第４の光ファイバ素線（４））が、４チャンネルｃｈ４用の融着スリーブ３３−４により、１本のドロップ光ケーブル３５中の光ファイバ芯線３５−１の一端部に融着接続されている。更に、幹線・支持光ケーブル２０中の１本のデータ用光ファイバ芯線２０−２は、融着スリーブ３１−２により、データ用光カプラ３２−２の入射端部から導出されている１本の光ファイバ素線に融着接続され、この光カプラ３２−２の出射端部から導出されている第１、第２、第３、第４の光ファイバ素線（ａ），（ｂ），（ｃ），（ｄ）の内の１本（例えば、第４の光ファイバ素線（ｄ））が、４チャンネルｃｈ４用融着スリーブ３３−４により、１本のドロップ光ケーブル３５中の光ファイバ芯線３５−２の一端部に融着接続され、同様に、光カプラ３１−１の出射端部から導出されている第１、第２、第３の光ファイバ素線（１），（２），（３）も、３チャンネルｃｈ３用融着スリーブ３３−３、２チャンネルｃｈ２用融着スリーブ３３−２、及び１チャンネルｃｈ１用融着スリーブ３３−１により、他の３本のドロップ光ケーブルの一端部にそれぞれ融着接続されている。更に、光カプラ３１−２の出射端部から導出されている第１、第２、第３の光ファイバ素線（ａ），（ｂ），（ｃ）も、融着スリーブ３３−３，３３−２，３３−１により、他の３本のドロップ光ケーブルの一端部にそれぞれ融着接続されている。
【００１９】
各ドロップ光ケーブル３５，・・・の他端部は、各ユーザ宅４０のＦＴＴＨ用光接続箱４１にそれぞれ接続されている。
【００２０】
次に、図６及び図７に示す２芯通信システム形のＦＴＴＨ−ＰＯＮシステムの動作を説明する。
【００２１】
局設備１０内の映像系光増幅分配装置１１から時分割多重化された下り映像信号が出力されると共に、ＩＰ系端局装置１２から時分割多重化された下りデータ信号が出力されると、これらの下り映像信号及びデータ信号が幹線・支持光ケーブル２０によってユーザ宅４０，・・・へ送られる。送られてきた下り映像信号及びデータ信号は、クロージャ３０内の映像用光カプラ３２−１により映像信号が４分岐されると共に、データ用光カプラ３２−２によりデータ信号が４分岐される。分岐された各映像信号と各データ信号とは、それぞれ対（ペア）になってドロップ光ケーブル３５，・・・により各ユーザ宅４０，・・・のＦＴＴＨ用光接続箱４１，・・・へ引き落とされる。
【００２２】
各ユーザ宅４０の光接続箱４１へ引き落とされた時分割多重化された映像信号、及びデータ信号の内、自己宛の映像信号が映像ＯＮＵ４２により分離された後、ＴＶ４４にて映像表示が行われる。又、自己宛のデータ信号がデータＯＮＵ４３により分離された後、端末装置４５にてデータ処理が行われる。
【００２３】
端末装置４５から出力された上りデータ信号は、データＯＮＵ４３により光信号に変換された後、ＦＴＴＨ用光接続箱４１、ドロップ光ケーブル３５、クロージャ３０、及び幹線・支持光ケーブル２０を経由して局設備１０内のＩＰ系端局装置１２へ送られ、受信処理が行われる。
【発明の開示】
【発明が解決しようとする課題】
【００２４】
しかしながら、従来のＦＴＴＨ−ＰＯＮシステムに用いられる光カプラ３２−１，３２−２では、次の（Ｉ）〜（ＩＩＩ）のような課題があった。
【００２５】
（Ｉ）  図７に示すように、従来の技術では、データ用光カプラ３２−１と映像用光カプラ３２−２とをそれぞれ別個に計２個用意し、これらをクロージャ３０内に実装される図示しないトレー上に配設している。そのため、部品のコストが２倍になると共に、トレー上のスペースに関し、光カプラ２個分を要するので、低コスト化及び小型化が困難である。
【００２６】
（ＩＩ）  データ用光カプラ３２−１から導出される複数本の光ファイバ素線（或いは光ファイバ芯線）や、映像用光カプラ３２−２から導出される複数本の光ファイバ素線（或いは光ファイバ芯線）とは、余長を確保する目的で、所定の半径を確保しつつ環状に巻装されてクロージャ内の図示しないトレー上に収容される。例えば、映像用光カプラ３２−１から導出された第４の光ファイバ素線（４）と、データ用光カプラ３２−２から導出された第４の光ファイブ素線（ｄ）とは、ペアになる光ファイバ素線であるため、工事の際にその２本を選定する必要があるが、トレー上には多数の光ファイバ素線（或いは光ファイバ芯線）が環状に巻装されて収容されているため、その選定に非常に苦労する。
【００２７】
（ＩＩＩ）  例えば、あるユーザ宅４０がデータ用の回線を敷設済みであり、映像用の回線も後日追加する場合であって、クロージャ３０内に映像用光カプラ３２−１が配設されていない場合には、新規に映像用光カプラ３２−１をクロージャ３０内に配設し、その映像用光カプラ３２−１から導出される光ファイバ素線を引き回してトレー上に収容しなければならず、手間が掛かる。
【課題を解決するための手段】
【００２８】
本発明の光カプラは、筒状の一端に第１の開口部、前記筒状の他端に第２の開口部を有するパッケージと、前記パッケージ内に重ね合わされて収納された第１のカプラ部及び第２のカプラ部と、前記第１及び第２の開口部を封止する封止材とを備えている。
【００２９】
前記第１のカプラ部は、前記第１の開口部から引き出され、第１の光信号を入力する第１の光ファイバと、前記第１の光ファイバに接続されて前記パッケージ内に収納され、前記第１の光ファイバにより入力された前記第１の光信号をｎ分岐（但し、ｎ；２以上の整数）して出力する第１の分岐部と、前記第１の分岐部に接続されて前記第２の開口部から引き出され、前記第１の分岐部から出力された前記ｎ個の第１の光信号をそれぞれ送出するｎ本の第２の光ファイバとを有している。
【００３０】
前記第２のカプラ部は、前記第１の光ファイバとペアになって前記封止材により固定されて前記第１の開口部から引き出され、第２の光信号を入力する第３の光ファイバと、前記第３の光ファイバに接続され、前記第１の分岐部と重ね合わされて前記パッケージ内に収納され、前記第３の光ファイバにより入力された前記第２の光信号をｎ分岐して出力する第２の分岐部と、前記第２の分岐部に接続され、前記各第２の光ファイバと共にそれぞれ１ペアに束ねられて前記封止材により固定されて前記第２の開口部からそれぞれ引き出され、前記第２の分岐部から出力された前記ｎ個の第２の光信号をそれぞれ送出するｎ本の第４の光ファイバとを有している。
【００３１】
ここで、前記第１、第２、第３及び第４の光ファイバの各光ファイバは、これに代えて、前記光ファイバが被覆部材により被覆された光ファイバ素線又は光ファイバ芯線を使用しても良い。
【発明の効果】
【００３２】
本発明によれば、次の（ａ）〜（ｅ）のような効果がある。
【００３３】
（ａ）  従来、光カプラを、例えば、クロージャ内に実装されるトレー上に配設する場合には、２個必要であったが、本発明の光カプラでは、第１及び第２のカプラ部を内蔵しているので、光カプラの使用数を１個にできる。そのため、部品点数が少なくなってコストの削減が可能になる。更に、トレー上のスペースに関し、光カプラ１個分で足りるため、種々の形状のトレー等に装着出来、しかも、トレーを含めたクロージャの小型化も可能になる。
【００３４】
（ｂ）  光カプラから引き出されたｎ本の第２の光ファイバ（或いは光ファイバ素線又は光ファイバ芯線）とｎ本の第４の光ファイバ（或いは光ファイバ素線又は光ファイバ芯線）とは、２本ずつペアになって束ねられているので、接続作業の際、その２本の選定が極めて容易であり、作業性が非常に良い。
【００３５】
（ｃ）  例えば、ＦＴＴＨ−ＰＯＮシステムにおいて、あるユーザ宅がデータ用の回線を敷設済みであり、映像用の回線も後日追加する場合、クロージャ内に映像用の光カプラを新規に追設する必要がない。そのため、光カプラ追設に伴う光ファイバ（或いは光ファイバ素線又は光ファイバ芯線）の引き回しも行わなくて済む。即ち、予めペアで引き回しされているペア線の内の映像用の１本を直ぐに探し出せ、その探し出した映像用の１本とドロップ光ケーブルとを接続しさえすれば良い。従って、作業性が非常に良い。
【００３６】
（ｄ）  光カプラは、構造が比較的簡単で、小型化し易く、製造も容易である。
【００３７】
（ｅ）  光カプラは、双方向性の構造であるので、光信号を分岐（分波）する機能の他、逆方向から光信号を入射することにより、光信号を合波する機能も有している。従って、光合分波器として、クロージャを含めた他の種々の用途に使用できる。
【発明を実施するための最良の形態】
【００３８】
光カプラは、筒状の一端に第１の開口部、前記筒状の他端に第２の開口部を有する金属製等のパッケージと、前記パッケージ内に重ね合わされて収納された第１のカプラ部及び第２のカプラ部と、前記第１及び第２の開口部を封止する紫外線（ＵＶ）硬化型樹脂等の封止材とを備えている。
【００３９】
前記第１のカプラ部は、例えば、ファイバ型構造又は導波路型構造をしており、前記第１の開口部から引き出され、第１の光信号（例えば、２芯通信用の映像信号）を入力する第１の光ファイバと、前記第１の光ファイバに接続されて前記パッケージ内に収納され、前記第１の光ファイバにより入力された前記第１の光信号をｎ分岐（但し、ｎ；２以上の整数）して出力する第１の分岐部と、前記第１の分岐部に接続されて前記第２の開口部から引き出され、前記第１の分岐部から出力された前記ｎ個の第１の光信号をそれぞれ送出するｎ本の第２の光ファイバとを有している。
【００４０】
前記第２のカプラ部は、例えば、ファイバ型構造又は導波路型構造をしており、前記第１の光ファイバとペアになって前記封止材により固定されて前記第１の開口部から引き出され、第２の光信号（例えば、２芯通信用のデータ信号）を入力する第３の光ファイバと、前記第３の光ファイバに接続され、前記第１の分岐部と重ね合わされて前記パッケージ内に収納され、前記第３の光ファイバにより入力された前記第２の光信号をｎ分岐して出力する第２の分岐部と、前記第２の分岐部に接続され、前記各第２の光ファイバと共にそれぞれ１ペアに束ねられて前記封止材により固定されて前記第２の開口部からそれぞれ引き出され、前記第２の分岐部から出力された前記ｎ個の第２の光信号をそれぞれ送出するｎ本の第４の光ファイバとを有している。
【００４１】
前記第１、第２、第３及び第４の光ファイバの各光ファイバは、これに代えて、前記光ファイバが被覆部材により被覆された光ファイバ素線又は光ファイバ芯線を使用しても良い。
【実施例１】
【００４２】
（実施例１の構成）
図１は、本発明の実施例１を示す光カプラが収納されたドロップ光ケーブル用クロージャ付近の概略の構成図である。
【００４３】
このドロップ光ケーブル用クロージャ５０は、図６に示す従来のＦＴＴＨ−ＰＯＮシステムにおけるクロージャ３０に代えて、幹線・支持光ケーブル２０に接続され、この幹線・支持光ケーブル２０を１×ｎ分岐し、２芯ドロップ光ケーブル３５を介してユーザ宅４０のＦＴＴＨ用光接続箱４１に接続されるものである。
【００４４】
クロージャ５０内に実装される図示しないトレー上には、１個の第１の光信号（例えば、映像信号）用及び第２の光信号（例えば、データ信号）用の２×２ｎ形（例えば、ｎ＝４）の光カプラ６０が配設されている。光カプラ６０の入射端部からは、２本の映像用の第１の光ファイバ素線６１−１及びデータ用の第３の光ファイバ素線６１−２が束ねられて導出され、更に、この光カプラ６０の出射端部から、４ペアの映像用の第２の光ファイバ素線６２−１及びデータ用の第４の光ファイバ素線６２−ａと、映像用の第２の光ファイバ素線６２−２及びデータ用の第４の光ファイバ素線６２−ｂと、映像用の第２の光ファイバ素線６２−３及びデータ用の第４の光ファイバ素線６２−ｃと、映像用の第２の光ファイバ素線６２−４及びデータ用の第４の光ファイバ素線６２−ｄとが導出されている。各光ファイバ素線６１−１，・・・は、例えば、光ファイバの表面がＵＶ硬化型エポキシ樹脂等で被覆された構造をしており、その口径は例えば１２５μｍ程度である。
【００４５】
各ペアの映像用光ファイバ素線６２−１及びデータ用光ファイバ６２−ａは、分離可能に束ねられて結合（例えば、２芯テープ化されて結合）されている。同様に、映像用光ファイバ６２−２及びデータ用光ファイバ６２−ｂも２芯テープ化されて結合され、映像用光ファイバ６２−３及びデータ用光ファイバ６２−ｃも２芯テープ化されて結合され、更に、映像用光ファイバ６２−４及びデータ用光ファイバ６２−ｄも２芯テープ化されて結合されている。
【００４６】
映像用光ファイバ素線６１−１の端部は、融着スリーブ５１により、幹線・支持光ケーブル２０中の１本の映像用光ファイバ芯線２０−１の端部と融着接続されると共に、データ用光ファイバ素線６１−２の端部が、その融着スリーブ５１により、幹線・支持光ケーブル２０中の１本のデータ用光ファイバ芯線２０−２の端部と融着接続されている。更に、ペアになった映像用光ファイバ素線６２−４及びデータ用光ファイバ素線６２−ｄの端部は、４チャンネルｃｈ４用融着スリーブ５２−４により、ドロップ光ケーブル３５中の光ファイバ芯線３５−１，３５−２の端部にそれぞれ融着接続されている。
【００４７】
同様に、他のペアの映像用光ファイバ素線６２−１及びデータ用光ファイバ素線６２−ａの端部は、１チャンネルｃｈ１用融着スリーブ５２−１により、他のドロップ光ケーブル中の２本の光ファイバ芯線の端部にそれぞれ融着接続され、映像用光ファイバ素線６２−２及びデータ用光ファイバ素線６２−ｂの端部は、２チャンネルｃｈ２用融着スリーブ５２−２により、他のドロップ光ケーブル中の２本の光ファイバ芯線の端部にそれぞれ融着接続され、更に、映像用光ファイバ素線６２−３及びデータ用光ファイバ素線６２−ｃの端部は、３チャンネルｃｈ３用融着スリーブ５２−３により、他のドロップ光ケーブル中の２本の光ファイバ芯線の端部にそれぞれ融着接続されている。
【００４８】
図２は、図１中の２×８形光カプラ６０の構造を示す模式図である。
この２×８形光カプラ６０には、第１のカプラ部（例えば、１×４形映像用カプラ部）７０−１と第２のカプラ部（例えば、１×４形データ用カプラ部）７０−２とが内蔵されている。映像用カプラ部７０−１は、入射端部から１本の光ファイバ素線６１−１が導出され、出射端部から４本の光ファイバ素線６２−１〜６２−４が導出されている。データ用カプラ部７０−２は、入射端部から１本の光ファイバ素線６１−２が導出され、出射端部から４本の光ファイバ素線６２−ａ〜６２−ｄが導出されている。４本の光ファイバ素線６２−１〜６２−４と４本の光ファイバ素線６２−ａ〜６２−ｄとは、交差するように配置され、映像用光ファイバ素線６２−１及びデータ用光ファイバ素線６２−ａと、映像用光ファイバ素線６２−２及びデータ用光ファイバ素線６２−ｂと、映像用光ファイバ素線６２−３及びデータ用光ファイバ素線６２−ｃと、映像用光ファイバ素線６２−４及びデータ用光ファイバ素線６２−ｄとが、それぞれ１ペアに束ねられて光カプラ６０の出射端部から引き出され、２芯テープ化されてそれぞれ結合されている。
【００４９】
図３（ａ）、（ｂ）は、図２の２×８形光カプラ６０を示すファイバ型光カプラの模式的な構造図であり、同図（ａ）は縦断面図、及び、同図（ｂ）は同図（ａ）中のＩ−Ｉ線断面図である。
【００５０】
この２×８形光カプラ６０は、ファイバ型光カプラであり、金属等で形成された円筒状部材（例えば、長さ７０ｍｍ、口径７ｍｍ程度）からなるパッケージ６３を有している。パッケージ６３内には、同一構造の映像用カプラ部７０−１とデータ用カプラ部７０−２とが重ね合わせて収納され、このカプラ部７０−１，７０−２から導出された１ペアの光ファイバ素線６１−１，６１−２が、パッケージ６３の第１の開口部から引き出され、そのカプラ部７０−１，７０−２から導出された４ペアの光ファイバ素線６２−１，６２−ａ〜６２−４，６２−ｄが、パッケージ６３の第２の開口部から引き出されている。
【００５１】
映像用カプラ部７０−１は、硝子管等の円筒部材７１−１を有し、この円筒部材７１−１内に、第１の分岐部（例えば、光ファイバ素線６１−１の端部と光ファイバ素線６２−１〜６２−４の端部との融着箇所）が挿着された構造をしている。同様に、データ用カプラ部７０−２は、硝子管等の円筒部材７１−２を有し、この円筒部材７１−２内に、第２の分岐部（例えば、光ファイバ素線６１−２の端部と光ファイバ素線６２−ａ〜６２−ｄの端部との融着箇所）が挿着された構造をしている。
【００５２】
映像用カプラ部７０−１とデータ用カプラ部７０−２とは、重ね合わされて固定され、引き出された光ファイバ素線６１−１，６１−２が２芯テープ化されて結合されると共に、引き出された光ファイバ素線６２−１，６２−ａ〜６２−４，６２−ｄがそれぞれ１ペアに２芯テープ化されて結合されている。このような映像用カプラ部７０−１及びデータ用カプラ部７０−２は、パッケージ６３内に挿入され、このパッケージ６３の両端の第１及び第２の開口部が、光透過性に優れたＵＶ硬化型エポキシ樹脂等の封止材６４−１，６４−２により封止されている。
【００５３】
（実施例１の製造例）
図３に示す光カプラ６０は、例えば、以下のようにして製造される。
映像用カプラ部７０−１を製造する場合は、長尺の４本の光ファイバ素線６１−１，６１−１１，６１−１２，６１−１３を用意する。光ファイバ素線６１−１，６１−１１，６１−１２，６１−１３の一部の被覆部を剥離してこの剥離箇所を束ね、この剥離箇所に対して左右に張力を加えつつ、バーナー等で加熱して融着した後、余分な３本の光ファイバ素線６１−１１〜６１−１３の端部を切断する。これにより、１本の光ファイバ素線６１−１が融着箇所で１×４分岐されて４本の光ファイバ素線６２−１〜６２−４となる分岐構造が形成される。その後、融着箇所に接着剤等を塗布して円筒部材７１−１内へ挿入して接着すれば、映像用カプラ部７０−１が得られる。
【００５４】
データ用カプラ部７０−２を製造する場合は、映像用カプラ部７０−１と同様に、長尺の４本の光ファイバ素線６１−２，６１−２１，６１−２２，６１−２３を用意する。光ファイバ素線６１−２，６１−２１，６１−２２，６１−２３の一部の被覆部を剥離してこの剥離箇所を束ね、この剥離箇所に対して左右に張力を加えつつ、バーナー等で加熱して融着した後、余分な３本の光ファイバ素線６１−２１〜６１−２３の端部を切断する。これにより、１本の光ファイバ素線６１−２が融着箇所で１×４分岐されて４本の光ファイバ素線６２−ａ〜６２−ｄとなる分岐構造が形成される。その後、融着箇所に接着剤等を塗布して円筒部材７１−２内へ挿入して接着すれば、データ用カプラ部７０−２が得られる。
【００５５】
次に、製造された映像用カプラ部７０−１とデータ用カプラ部７０−２とを重ね合わせて接着剤等で固定する。映像用カプラ部７０−１から引き出された光ファイバ素線６１−１と、データ用カプラ部７０−２から引き出された光ファイバ素線６１−２とは、２芯テープ化して結合しておく。同様に、映像用カプラ部７０−１から引き出された光ファイバ素線６２−１〜６２−４と、データ用カプラ部７０−２から引き出された光ファイバ素線６２−ａ〜６２−ｄとは、それぞれペアの形６２−１，６２−ａ〜６２−４，６２−ｄで２芯テープ化して結合しておく。接続の容易化等を考慮して、例えば、１ペアの光ファイバ素線６１−１，６１−２の引き出し長さは１０００ｍｍ以上、４ペアの光ファイバ素線６２−１，６２−ａ〜６２−４，６２−ｄの引き出し長さは１０００ｍｍ以上で、且つ、それぞれ色分けされていることが望ましい。
【００５６】
重ね合わせて固定された映像用カプラ部７０−１及びデータ用カプラ部７０−２は、パッケージ６３内に挿入し後、このパッケージ６３の両端の第１及び第２の開口部をＵＶ硬化型エポキシ樹脂等の封止材６４−１，６４−２により封止すれば、図３の光カプラ６０の製造が終了する。
【００５７】
このようにして製造された光カプラ６０を、図１のドロップ光ケーブル用クロージャ５０内に装着する方法の一例を以下説明する。
【００５８】
クロージャ５０内に実装される図示しないトレー上に、１個の光カプラ６０を配設する。光カプラ６０の一端から導出されている映像用光ファイバ素線６１−１の入射端部を、融着スリーブ５１により、幹線・支持光ケーブル２０中の１本の映像用光ファイバ芯線２０−１の端部と融着接続すると共に、光カプラ６０の一端から導出しているデータ用光ファイバ素線６１−２の入射端部を、その融着スリーブ５１により、幹線・支持光ケーブル２０中の１本のデータ用光ファイバ芯線２０−２の端部と融着接続する。更に、光カプラ６０の他端から導出された１ペアになった映像用光ファイバ素線６２−４及びデータ用光ファイバ素線６２−ｄの出射端部を、４チャンネルｃｈ４用融着スリーブ５２−４により、ドロップ光ケーブル３５中の光ファイバ芯線３５−１，３５−２の端部にそれぞれ融着接続する。
【００５９】
同様に、他のペアの映像用光ファイバ素線６２−１及びデータ用光ファイバ素線６２−ａの出射端部を、１チャンネルｃｈ１用融着スリーブ５２−１により、他のドロップ光ケーブル中の２本の光ファイバ芯線の端部にそれぞれ融着接続する。映像用光ファイバ素線６２−２及びデータ用光ファイバ素線６２−ｂの出射端部を、２チャンネルｃｈ２用融着スリーブ５２−２により、他のドロップ光ケーブル中の２本の光ファイバ芯線の端部にそれぞれ融着接続し、更に、映像用光ファイバ素線６２−３及びデータ用光ファイバ素線６２−ｃの出射端部を、３チャンネルｃｈ３用融着スリーブ５２−３により、他のドロップ光ケーブル中の２本の光ファイバ芯線の端部にそれぞれ融着接続する。これにより、光カプラ６０の装着作業が終了する。
【００６０】
（実施例１の動作）
本実施例１の光カプラ６０を用いた図６に示す２芯通信システム形のＦＴＴＨ−ＰＯＮシステムの動作を説明する。
【００６１】
図６の局設備１０内の映像系光増幅分配装置１１から時分割多重化された下り映像信号が出力されると共に、ＩＰ系端局装置１２から時分割多重化された下りデータ信号が出力されると、これらの下り映像信号及びデータ信号が幹線・支持光ケーブル２０によってユーザ宅４０，・・・へ送られる。送られてきた下り映像信号及びデータ信号は、図１及び図２のクロージャ５０内において、映像用光ファイバ芯線２０−１、データ用光ファイバ芯線２０−２、融着スリーブ５１、及び光ファイバ素線６１−１，６１−２を介して光カプラ６０へ入力される。光カプラ６０へ入力された映像信号及びデータ信号は、映像用カプラ部７０−１及びデータ用カプラ部７０−２によりそれぞれ４分岐され、光ファイバ素線６２−１〜６２−４を介して１チャンネルｃｈ１用融着スリーブ５２−１〜４チャンネルｃｈ４用融着スリーブ５２−４へそれぞれ伝送される。伝送された映像信号とデータ信号とは、それぞれペアになってドロップ光ケーブル３５，・・・内の光ファイバ芯線３５−１，３５−２，・・・により各ユーザ宅４０，・・・のＦＴＴＨ用光接続箱４１，・・・へ引き落とされる。
【００６２】
あるユーザ宅４０の光接続箱４１へ引き落とされた時分割多重化された映像信号、及びデータ信号の内、自己宛の映像信号が映像ＯＮＵ４２により分離されて電気信号に変換された後、ＴＶ４４へ送られて映像表示が行われる。又、自己宛のデータ信号がデータＯＮＵ４３により分離されて電気信号に変換された後、端末装置４５へ送られて所定のデータ処理が行われる。
【００６３】
端末装置４５から出力された上りデータ信号は、データＯＮＵ４３により光信号に変換された後、ＦＴＴＨ用光接続箱４１、ドロップ光ケーブル３５内の光ファイバ芯線３５−１，３５−２、クロージャ５０内の融着スリーブ５２−４、光ファイバ素線６２−４，６２−ｄ、光カプラ６０内の映像用カプラ部７０−１、データ用カプラ部７０−２、光ファイバ素線６１−１，６１−２、融着スリーブ５１、及び幹線・支持光ケーブル２０内の映像用光ファイバ芯線２０−１、データ用光ファイバ芯線２０−２を経由して、図６の局設備１０内のＩＰ系端局装置１２へ送られ、受信処理が行われる。このようにして、局設備１０とユーザ宅４０との間で、双方向データ通信が行われる。
【００６４】
（実施例１の効果）
本実施例１によれば、次の（ａ）〜（ｅ）のような効果がある。
【００６５】
（ａ）  クロージャ５０内に実装される図示しないトレー上に配設した光カプラ６０は、映像用カプラ部７０−１及びデータ用カプラ部７０−２を内蔵しているので、光カプラの使用数を１個にできる。そのため、部品点数が少なくなってコストの削減が可能になる。更に、トレー上のスペースに関し、光カプラ１個分で足りるため、種々の形状のトレー等に装着出来、しかも、トレーを含めたクロージャ５０の小型化も可能になる。
【００６６】
（ｂ）  光カプラ６０から引き出された映像用光ファイバ素線６２−１〜６２−４とデータ用光ファイバ素線６２−ａ〜６２−ｄとは、２本ずつペアになって２芯テープ化されて結合されているので、接続作業の際、その２本の選定が極めて容易であり、作業性が非常に良い。
【００６７】
（ｃ）  例えば、あるユーザ宅４０がデータ用の回線を敷設済みであり、映像用の回線も後日追加する場合、クロージャ５０内に映像用の光カプラを新規に追設する必要がない。そのため、当然ながら、光カプラ追設に伴う光ファイバ素線（或いは光ファイバ芯線）の引き回しも行わなくて済む。即ち、予めペアで引き回しされているペア線（例えば、光ファイバ素線６２−４及び６２−ｄ）の内の１本（映像用光ファイバ素線６２−ｄ）を直ぐに探し出せ、その探し出した映像用光ファイバ素線６２−ｄと、ドロップ光ケーブル３５内の光ファイバ芯線の一本（映像用光ファイバ芯線３５−１）とを、融着スリーブ５２−４により融着しさえすれば良い。従って、作業性が非常に良い。
【００６８】
（ｄ）  ファイバ型光カプラ６０は、図３に示すように、同一構造の２個のカプラ部を作っておき、その内の１個を映像用カプラ部７０−１、他の１個をデータ用カプラ部７０−２として使用し、この２個のカプラ部７０−１，７０−２を重ね合わせて円筒状のパッケージ６３へ挿着し、導出された光ファイバ素線６１−１及び６１−２をペアにして２芯テープ化して結合すると共に、導出された光ファイバ素線６２−１〜６２−４及び６２−ａ〜６２−ｄをそれぞれペアにして２芯テープ化して結合した後、パッケージ６３の両端開口部を封止材６４−１，６４−２にて封止する構造になっているので、構造が比較的簡単で、小型化し易く、製造も容易である。従って、本実施例１のファイバ型光カプラ６０は、小型であり、光ファイバとの接続性が良く、信頼性を確保し易く、多様性に適している。
【００６９】
（ｅ）  図３のファイバ型光カプラ６０は、双方向性の構造であるので、光信号を分岐（分波）する機能の他、逆方向から光信号を入射することにより、光信号を合波する機能も有している。従って、光合分波器として、クロージャ５０を含めた他の種々の用途に使用できる。
【実施例２】
【００７０】
（実施例２の構成）
図４（ａ）〜（ｄ）は、図２の２×８形光カプラ６０を示す導波路型光カプラの模式的な構造図であり、同図（ａ）は横断面図、同図（ｂ）は縦断面図、同図（ｃ）は同図（ｂ）中のＩＩ−ＩＩ線断面図、及び同図（ｄ）は同図（ｂ）中のＩＩＩ−ＩＩＩ線断面図である。この図４において、実施例１を示す図３中の要素と共通の要素には共通の符号が付されている。
【００７１】
この２×８形光カプラ６０Ａは、導波路型ファイバ型光カプラであり、金属等で形成された角筒状部材（例えば、長さ５５ｍｍ、断面口径の縦４ｍｍ、横７ｍｍ、程度）からなるパッケージ６３Ａを有している。パッケージ６３Ａは、断面コ字状の収納部材６３Ａ−１と、この収納部材６３Ａ−１の長手方向の開口部を閉塞する断面コ字状の蓋部材６３Ａ−２とにより構成されている。収納部材６３Ａ−１内には、第１のカプラ部（例えば、角柱状の１×４形映像用カプラ部）７０Ａ−１と、これと同一構造の第２のカプラ部（例えば、角柱状の１×４形データ用カプラ部）７０Ａ−２とが、重ね合わせて収納され、この収納部６３Ａ−１の長手方向の開口部に、蓋部材６３Ａ−２が嵌着されている。
【００７２】
映像用カプラ部７０Ａ−１は、第１の分岐部（例えば、１入射４出射の光導波路）７１Ａ−１と、この光導波路７１Ａ−１の入射端面に接合され、第１の光ファイブ素線６１−１の端部を溝部に収容して固定する光ファイバ固定部材７２−１と、光導波路７１Ａ−１の出射端面に接合され、並列に配置された４本の第２の光ファイバ素線６２−１〜６２−４の端部を溝部に収容して固定する光ファイバ固定部材７３−１とにより構成されている。同様に、データ用カプラ部７０Ａ−２は、第２の分岐部（例えば、１入射４出射の光導波路）７１Ａ−２と、この光導波路７１Ａ―２の入射端面に接合され、第３の光ファイブ素線６１−２の端部を溝部に収容して固定する光ファイバ固定部材７２−２と、光導波路７１Ａ−２の出射端面に接合され、並列に配置された４本の第４の光ファイバ素線６２−ａ〜６２−ｄの端部を溝部に収容して固定する光ファイバ固定部材７３−２とにより構成されている。
【００７３】
映像用カプラ部７０Ａ−１とデータ用カプラ部７０Ａ−２とは、パッケージ６３Ａ内において重ね合わされて固定されている。カプラ部７０Ａ−１，７０Ａ−２から導出された上下の光ファイバ素線６１−１，６１−２は、ペアの形で２芯テープ化されて結合され、パッケージ６３Ａの第１の開口部から引き出されている。更に、カプラ部７０Ａ−１，７０Ａ−２から導出された上下の光ファイバ素線６２−１，６２−ａ〜６２−４，６２−ｄも、それぞれ上下１ペアの形で２芯テープ化されて結合され、パッケージ６３Ａの第２の開口部から引き出されている。パッケージ６３Ａの両端の第１及び第２の開口部は、ＵＶ硬化型エポキシ樹脂等の封止材６４Ａ−１，６４Ａ−２により封止されている。
【００７４】
（実施例２の製造例）
図４に示す光カプラ６０Ａは、例えば、以下のようにして製造される。
映像用カプラ部７０Ａ−１を構成する光導波路７１Ａ−１は、例えば、埋め込み型構造の場合、シリコン基板等の基板上に、下部クラッド層が形成され、この下部クラッド層上に、光透過性に優れたＵＶ硬化型エポキシ樹脂等からなるコア層がエッチング等によって選択的に形成され、更に、そのコア層が上部クラッド層により被覆されて形成される。光ファイバ固定部材７２−１，７３−１は、例えば、シリコン基板等の基板上に、エッチング等によって溝部が形成され、この溝部内に光ファイバ素線６１−１，６２−１〜６２−４の端部が接着剤等により固定された後、光導波路７１Ａ−１の端面に対して位置合わせ（調芯）されて接着され、映像用カプラ部７０Ａ−１が形成される。
【００７５】
この映像用カプラ部７０Ａ−１と同様に、データ用カプラ部７０Ａ−２を製造する場合も、埋め込み型構造の光導波路７１Ａ−２と、光ファイバ素線６１−２，６２−ａ〜６２−ｄの端部を固定した光ファイバ固定部材７２−２，７３−２とを形成する。その後、光導波路７１Ａ−２の端面に対して、光ファイバ固定部材７２−２，７３−２を位置合わせ（調芯）して接着すれば、データ用カプラ部７０Ａ−２を形成できる。
【００７６】
次に、製造された映像用カプラ部７０Ａ−１とデータ用カプラ部７０Ａ−２とを、上下に重ね合わせて接着する。カプラ部７０Ａ−１，７０Ａ−２から導出された上下の光ファイバ素線６１−１，６１−２を、ペアの形で２芯テープ化して結合すると共に、カプラ部７０Ａ−１，７０Ａ−２から導出された上下の光ファイバ素線６２−１，６２−ａ〜６２−４，６２−ｄも、それぞれ上下１ペアの形で２芯テープ化して結合する。接着された映像用カプラ部７０Ａ−１及びデータ用カプラ部７０Ａ−２を、パッケージ６３Ａの収納部材６３Ａ−１内に固定し、上下ペアの光ファイバ素線６１−１，６１−２を収納部６３Ａ−１の一端から引き出し、上下ペアの光ファイバ素線６２−１，６２−ａ〜６２−４，６２−ｄを収納部６３Ａ−１の他端から引き出す。
【００７７】
実施例１と同様に、接続の容易化等を考慮して、例えば、１ペアの光ファイバ素線６１−１，６１−２の引き出し長さは１０００ｍｍ以上、４ペアの光ファイバ素線６２−１，６２−ａ〜６２−４，６２−ｄの引き出し長さは１０００ｍｍ以上で、且つ、それぞれ色分けされていることが望ましい。
【００７８】
収納部６３Ａ−１の長手方向の開口部に、蓋部材６３Ａ−２を嵌着してパッケージ６３Ａを固定する。その後、パッケージ６３Ａの両端の第１及び第２の開口部を、ＵＶ硬化型エポキシ樹脂等の封止材６４Ａ−１，６４Ａ−２により封止すれば、図４の光カプラ６０Ａの製造が終了する。
【００７９】
このようにして製造された光カプラ６０Ａは、実施例１と同様の方法により、図１のドロップ光ケーブル用クロージャ５０内に装着される。
【００８０】
（実施例２の動作）
本実施例２の光カプラ６０Ａを用いた図６に示す２芯通信システム形のＦＴＴＨ−ＰＯＮシステムの動作は、実施例１と同様である。
【００８１】
（実施例２の効果）
本実施例２によれば、実施例１の効果（ａ）〜（ｃ）と同様の効果があり、更に、次の（ｉ）、（ｉｉ）のような効果もある。
【００８２】
（ｉ）  導波路型光カプラ６０Ａは、同一構造の２個のカプラ部を作っておき、その内の１個を映像用カプラ部７０Ａ−１、他の１個をデータ用カプラ部７０Ａ−２として使用し、この２個のカプラ部７０Ａ−１，７０Ａ−２を重ね合わせて角筒状のパッケージ６３Ａ内へ装着した後、パッケージ６３Ａの両端開口部を封止材６４Ａ−１，６４Ａ−２にて封止する構造になっているので、構造が比較的簡単で、製造も容易である。特に、本実施例２の導波路型光カプラ６０Ａは、実施例１のファイバ型光カプラ６０に比べて、より小型化でき、複合化が容易で、量産性に適している。
【００８３】
（ｉｉ）  導波路型光カプラ６０Ａは、双方向性の構造であるので、光信号を分岐（分波）する機能の他、逆方向から光信号を入射することにより、光信号を合波する機能も有している。従って、光合分波器として、クロージャ５０を含めた他の種々の用途に使用できる。
【００８４】
（変形例）
本発明は、上記実施例に限定されず、種々の利用形態や変形が可能である。この利用形態や変形例としては、例えば、次の（ａ）〜（ｃ）のようなものがある。
【００８５】
（ａ）  図５は、図２の２×８形光カプラ６０の変形例を示す２×１６形光カプラの構造の模式図である。
【００８６】
この２×１６形光カプラ６０Ｂは、第１のカプラ部（例えば、１×８形映像用カプラ部）７０Ｂ−１と第２のカプラ部（例えば、１×８形データ用カプラ部）７０Ｂ−２とが１つのパッケージ内に内蔵されている。このような８分岐形の光カプラ６０Ｂを用いた場合には、８ユーザ宅４０，・・・への配線が可能となる。本発明の光カプラでは、任意の分岐数に適用出来る。
【００８７】
（ｂ）  光ファイバ素線６１−１，６１−２，６２−１，６２−ａ〜６２−４，６２−ｄは、これらに代えて、光ファイバ芯線、或いは、光ファイバを使用しても良い。
【００８８】
（ｃ）  実施例１、２の光カプラ６０，６０Ａは、図示以外の形状、構造、製造方法等に変更でき、しかも、図示以外の他の構成のＦＴＴＨ−ＰＯＮシステムや、それ以外の種々の用途に使用出来る。
【図面の簡単な説明】
【００８９】
【図１】本発明の実施例１を示す光カプラが収納されたドロップ光ケーブル用クロージャ付近の概略の構成図である。
【図２】図１中の２×８形光カプラ６０の構造を示す模式図である。
【図３】図２の２×８形光カプラ６０を示すファイバ型光カプラの模式的な構造図である。
【図４】図２の２×８形光カプラ６０を示す導波路型光カプラの模式的な構造図である。
【図５】図２の２×８形光カプラ６０の変形例を示す２×１６形光カプラの構造の模式図である。
【図６】従来の２芯通信システム形のＦＴＴＨ−ＰＯＮシステムの概略の構成図である。
【図７】図６中のドロップ光ケーブル用クロージャ３０の詳細を示す概略の構成図である。
【符号の説明】
【００９０】
２０    幹線・支線光ケーブル
３５    ドロップ光ケーブル
５０    クロージャ
６０，６０Ａ，６０Ｂ    光カプラ
６１−１，６１−２，６２−１，６２−ａ〜６２−４，６２−ｄ    光ファイバ素線
６３，６３Ａ    パッケージ
６４−１，６４Ａ−１，６４−２，６４Ａ−２    封止材
７０−１，７０Ａ−１，７０Ｂ−１，７０−２，７０Ａ−２，７０Ｂ−２    カプラ部
【図１】
2009128853.tif 000003
【図２】
2009128853.tif 000004
【図３】
2009128853.tif 000005
【図４】
2009128853.tif 000006
【図５】
2009128853.tif 000007
【図６】
2009128853.tif 000008
【図７】
2009128853.tif 000009